(57)【要約】【課題】  軽量化の要求を満たしながら、騒音も低減される屋外階段を提供する。【解決手段】  本発明の屋外階段１０は、踏板２０と、該踏板２０を固定する一対の側桁３０，３０とを備えてなるもので、踏板２０が、縁取部２２を有する踏板本体２１と、踏板本体２１の水平部に配設されたコンクリート定着部材と、踏板本体２１の内側に打設された軽量ＧＲＣ５０とを備えてなるものである。ここで、コンクリート定着部材は、主材４１と主材４１端部に装着された高ナット４２とからなる骨状部材４０とされ、高ナット４２が、側桁３０側から挿通される固定ボルトと係合されることにより踏板２０が側桁３０に固定される。【選択図】  図１
2005273301.tif 000002
【特許請求の範囲】
【請求項１】
踏板と、該踏板を固定する一対の側桁とを備えてなる屋外階段であって、
前記踏板が、縁取部を有する踏板本体と、該踏板本体の水平部に配設されたコンクリート定着部材と、踏板本体の内側に打設された軽量コンクリートとを備えてなることを特徴とする屋外階段。
【請求項２】
コンクリート定着部材が、主材と該主材の端部に装着された取付部材とからなる骨状部材とされ、前記取付部材が、側桁側から挿通される固定部材と係合されることにより踏板が側桁に固定されることを特徴とする請求項１記載の屋外階段。
【請求項３】
取付部材がナットとされ、固定部材がボルトとされてなることを特徴とする請求項２記載の屋外階段。
【請求項４】
コンクリートがガラス繊維強化コンクリートとされてなることを特徴とする請求項１記載の屋外階段。
【請求項５】
踏板面が耐磨耗性部材により被覆されてなることを特徴とする請求項１記載の屋外階段。
【発明の詳細な説明】
【技術分野】
【０００１】
本発明の屋外階段に関する。さらに詳しくは、主として集合階段に適用される屋外階段に関する。
【背景技術】
【０００２】
従来より、二階建集合住宅においては、一般的に、二階住人の出入りのために屋外階段が設けられている。
【０００３】
この屋外階段１００は軽量化およびコスト低減を図るため、図６に示すように、踏板１０１を鋼板製としその上に滑り防止および騒音低減を目的としてゴムマット１０２が敷かれた構成とされている。
【０００４】
ところが、前記構成では騒音の低減が充分ではなく、階下の住人に不快感を与えているという問題がある。そのため、踏板を一般ＰＣコンクリート(プレキャストコンクリート)とすることが提案されている。
【０００５】
しかしながら、踏板を一般ＰＣコンクリートとした場合には、階段一基当たりの重量が著しく増加するため、従来の鉄骨や梁では強度不足となり、既設集合住宅には適用できないという別の問題が生ずる。
【発明の開示】
【発明が解決しようとする課題】
【０００６】
本発明はかかる従来技術の課題に鑑みさなれたものであって、軽量化の要求を満たしながら、騒音も低減される屋外階段を提供することを目的としている。
【課題を解決するための手段】
【０００７】
本発明の屋外階段は、踏板と、該踏板を固定する一対の側桁とを備えてなる屋外階段であって、前記踏板が、縁取部を有する踏板本体と、該踏板本体の水平部に配設されたコンクリート定着部材と、踏板本体の内側に打設された軽量コンクリートとを備えてなることを特徴とする。
【０００８】
本発明の屋外階段においては、コンクリート定着部材が、主材と該主材の端部に装着された取付部材とからなる骨状部材とされ、前記取付部材が、側桁側から挿通される固定部材と係合されることにより踏板が側桁に固定されるのが好ましい。
【０００９】
また、本発明の屋外階段においては、取付部材がナットとされ、固定部材がボルトとされてなるのが好ましい。
【００１０】
さらに、本発明の屋外階段においては、コンクリートがガラス繊維強化コンクリートとされてなるのが好ましい。
【００１１】
さらに、本発明の屋外階段においては、踏板面が耐磨耗性部材により被覆されてなるのが好ましい。
【発明の効果】
【００１２】
本発明によれば、屋外階段の軽量化を図りながら、昇降時における騒音が低減されるという優れた効果が得られる。
【発明を実施するための最良の形態】
【００１３】
以下、添付図面を参照しながら本発明を実施形態に基づいて説明するが、本発明はかかる実施形態のみに限定されるものではない。
【００１４】
実施形態１
本発明の実施形態１に係る屋外階段を図１に断面図で示す。
【００１５】
屋外階段１０は、図１に示すように、踏板２０，２０，２０，・・・と、踏板２０，２０，２０，・・・の端部を支持する平行に配設された側桁３０，３０とを主要構成要素として備えてなる。
【００１６】
踏板２０は、図２に示すように、両端部が上方に向けて折り曲げられ縁取部２２が形成された鋼板を概略Ｌ字状に折り曲げてなる踏板本体２１と、踏板本体２１の水平部にその幅方向に配設された所要数(図示例では２本とされている)の骨状部材４０と、踏板本体上面に打設された軽量ＧＲＣ（Glass fiber Reinforced Cement：ガラス繊維補強セメント）５０とを備えてなるものとされる。
【００１７】
踏板本体２１の縁取部２２の高さは、打設される軽量ＧＲＣ５０の型枠として機能するようその高さが設定されている。高さは、具体的には２０ｍｍ〜５０ｍｍ程度に設定されている。
【００１８】
骨状部材４０は踏板本体２１の幅の内寸と略同一寸法とされ、図２に示すように、主材４１と、主材４１端部に装着された取付部材４２とからなるものとされる。
【００１９】
主材４１は踏板本体２１内に打設された軽量ＧＲＣ５０の定着部材として機能するようその素材が選定される。その素材としては、例えば異形鉄筋が用いられる。また、その両端部は、前記取付部材４２が外嵌されるように調整されている。
【００２０】
取付部材４２の基端部(主材４１に装着される側)は、主材４１端部と係合されるように調整され、先端部(主材に装着される反対側)は、側桁３０から挿通される固定部材が係合されるように調整されている。取付部材４２は、例えば高ナットとされ、その基端部には主材４１端部に形成された雄ねじが螺合され、先端部には側桁３０から挿通される固定ボルトが螺合される。このため、踏板本体２１の縁取部２２の骨状部材４０に対応する個所には、固定ボルトなどの固定部材が挿通される透孔２３が形成されている。
【００２１】
なお、踏板本体２１への軽量ＧＲＣ５０の打設は、常法によりなされる。例えば、こて塗りによりなされる。
【００２２】
側桁３０は、例えば平型鋼や軽量溝型鋼などとされ、踏板２０が配設される側面には骨状部材４０に対応させて固定ボルトなどの固定部材が挿通される透孔(明瞭には図示されていない)が形成されている。この側桁３０の下端部は、図示はされていないが、階段基礎に設けられたアンカーボルトに固定可能に形成され、また上端部は、図示はされていないが、二階の梁に設けられた取付部に固定可能に形成されている。
【００２３】
しかして、かかる構成とされた屋外階段１０の組立は、例えば、一方の側桁３０に踏板２０の一端部を固定し、つまり側桁３０の外方から固定ボルトを挿通して高ナット４２に螺合し、ついで他方の側桁３０に踏板２０の他端部を固定する、つまり側桁３０の外方から固定ボルトを挿通して高ナット４２に螺合することによりなされる。
【００２４】
この実施形態１の屋外階段１０の騒音レベルを測定したところ、図６に示す従来の屋外階段１００に比して騒音が１０〜１５ｄＢ低減されたことが確認された。
【００２５】
このように、この実施形態１によれば、屋外階段１０の軽量化を図りながら騒音低減も実現される。また、踏板２０を鋼板の踏板本体２１と軽量ＧＲＣ５０との組合せにより構成しているので、屋外階段５０一基当たりの重量増加を既設鉄骨の許容荷重範囲に収めることができ、そのため既設集合住宅への適用も容易である。さらに、溶接を用いることなく組立がなし得るので、品質を一定に保ちながら迅速な組立がなし得る。
【００２６】
実施形態２
本発明の実施形態２に係る踏板を図３〜図５に示す。
【００２７】
踏板は、図３〜図５に示すように、実施形態１の踏板２０を改変してなるものであって、踏板面の保護および美観向上のために耐磨耗性化粧部材、例えばタイル７０を貼り付けてなるものとされる。
【００２８】
なお、実施形態２のその余の構成は実施形態１と同様とされているので、その詳細な説明は省略する。
【００２９】
このように、この実施形態２によれば、重量の増加を必要最小限に抑えながら、耐久性および美観の向上が図られるという実施形態１では得られない効果も得られる。
【００３０】
以上、本発明を実施形態に基づいて説明してきたが、本発明はかかる実施形態のみに限定されるものではなく、種々改変が可能である。例えば、実施形態では踏板２０に軽量ＧＲＣ５０と骨状部材４０との組合せが用いられているが、軽量コンクリートとメッシュ鉄筋との組合せとすることもできる。
【産業上の利用可能性】
【００３１】
本発明は集合住宅の屋外階段に適用できる。
【図面の簡単な説明】
【００３２】
【図１】本発明の実施形態１に係る屋外階段の部分側断面図である。
【図２】同実施形態の踏板の斜視図である。
【図３】本発明の実施形態２に係る屋外階段の踏板の正面図である。
【図４】同平面図である。
【図５】同断面図である。
【図６】従来の屋外階段の部分斜視図である。
【符号の説明】
【００３３】
１０      屋外階段
２０      踏板
２１      踏板本体
２２      縁取部
２３      透孔
３０      側桁
４０      骨状部材
４１      主材
４２      取付部材、高ナット
５０      軽量ＧＲＣ
７０      タイル、耐磨耗性部材
【図１】
2005273301.tif 000003
【図２】
2005273301.tif 000004
【図３】
2005273301.tif 000005
【図４】
2005273301.tif 000006
【図５】
2005273301.tif 000007
【図６】
2005273301.tif 000008